【手続補正書】
【提出日】令和3年11月17日(2021.11.17)
【手続補正１】
【補正対象書類名】特許請求の範囲
【補正対象項目名】全文
【補正方法】変更
【補正の内容】
【特許請求の範囲】
【請求項１】
時間同期されたワイヤレスネットワークの、第１のクロックに関連付けられた第１のノードによって実行されるワイヤレス通信のための方法であって、
前記時間同期されたワイヤレスネットワークの第２のノードから、前記時間同期されたワイヤレスネットワークのフレーム構造への前記第２のノードの第２のクロックのためのマッピングを識別するマッピング情報と同期情報とを備えるタイミング同期信号を受信することと、
前記マッピング情報及び前記同期情報に少なくとも部分的に基づいて、前記第２のクロックの時間に前記第１のクロックの時間を同期させることと、
前記タイミング同期信号に少なくとも部分的に基づいて、前記第１のノードのローカルワイヤードインターフェースのタイマ機能を構成することと、ここにおいて、前記タイミング同期信号は、セルラワイヤレス通信リンクを通して受信される、
前記ローカルワイヤードインターフェースを介して前記第１のノードに接続されたデバイスにタイミング制御信号を送信することと、ここにおいて、前記タイミング制御信号は、前記タイマ機能に少なくとも部分的に基づく、
を備える、方法。
【請求項２】
前記セルラワイヤレス通信リンクの少なくとも１つのメトリックが閾値を満たすと決定することと、
前記決定に少なくとも部分的に基づいて、前記デバイスを制御するために、前記タイミング制御信号を送信することと
を更に備える、請求項１に記載の方法。
【請求項３】
前記セルラワイヤレス通信リンクの前記少なくとも１つのメトリックは、基準信号受信電力（ＲＳＲＰ）、信号対雑音比（ＳＮＲ）、信号対干渉及び雑音比（ＳＩＮＲ）、基準信号受信品質（ＲＳＲＱ）、帯域幅パラメータ、スループットパラメータ、又はそれらの組み合わせのうちの少なくとも１つを備える、請求項２に記載の方法。
【請求項４】
前記セルラワイヤレス通信リンクの少なくとも１つのメトリックが閾値を満たさないと決定することと、
前記決定に少なくとも部分的に基づいて、前記デバイスからの前記タイミング制御信号を保留することと、
を更に備える、請求項１に記載の方法。
【請求項５】
精密時間プロトコル（ＰＴＰ）機能、汎用ＰＴＰ機能、又はタイミング及び同期プロトコル機能として前記タイマ機能を構成すること
を更に備える、請求項１に記載の方法。
【請求項６】
前記デバイスは、前記ローカルワイヤードインターフェースに接続され、前記第１のノードによって制御されるエンドデバイスである、請求項１に記載の方法。
【請求項７】
プライマリ同期信号、セカンダリ同期信号、システム情報ブロック、測位基準信号、又はそれらの任意の組み合わせのうちの少なくとも１つを使用して、前記第２のノードから前記タイミング同期信号を受信すること
を更に備える、請求項１に記載の方法。
【請求項８】
前記同期情報は、基準時間に関連付けられたタイムスタンプ識別子と、前記基準時間に関連付けられた集約された遅延に関連する遅延識別子とを含む、請求項１に記載の方法。
【請求項９】
前記同期情報は、前記第１のノードによって使用される時間同期プロトコルに関連するプロトコル識別子を含む、請求項１に記載の方法。
【請求項１０】
前記マッピング情報及び前記同期情報を受信することに少なくとも部分的に基づいて、前記第２のノードの前記第２のクロックの前記時間に第３のノードの第３のクロックの時間を同期させるために、前記第３のノードに前記マッピング情報及び前記同期情報を送信すること
を更に備える、請求項１に記載の方法。
【請求項１１】
前記マッピング情報は、前記第１のクロックの前記時間についての時間値と、フレーム番号、ハイパーフレーム番号、システムフレーム番号、又はサブフレーム番号のうちの少なくとも１つのフレーム構造識別子とを識別する、請求項１に記載の方法。
【請求項１２】
前記マッピング情報及び前記同期情報は、前記時間同期されたワイヤレスネットワークのセルラインターフェースの制御チャネルを使用して受信される、請求項１に記載の方法。
【請求項１３】
識別情報を受信することを更に備え、セルラリンク識別子、ノード識別子、セル識別子、無線ベアラ識別子、プロトコルデータユニットセッション識別子、又はプロトコルデータユニット接続識別子のうちの少なくとも１つを含む、請求項１に記載の方法。
【請求項１４】
ワイヤレス通信のための装置であって、
第１のクロックに関連付けられた第１のノードが、時間同期されたワイヤレスネットワークの第２のノードから、前記時間同期されたワイヤレスネットワークのフレーム構造への前記第２のノードの第２のクロックのためのマッピングを識別するマッピング情報と同期情報とを備えるタイミング同期信号を受信するための手段と、
前記マッピング情報及び前記同期情報に少なくとも部分的に基づいて、前記第２のクロックの時間に前記第１のクロックの時間を同期させるための手段と、
前記タイミング同期信号に少なくとも部分的に基づいて、前記第１のノードのローカルワイヤードインターフェースのタイマ機能を構成するための手段と、ここにおいて、前記タイミング同期信号は、セルラワイヤレス通信リンクを通して受信される、
前記ローカルワイヤードインターフェースを介して前記第１のノードに接続されたデバイスにタイミング制御信号を送信するための手段と、ここにおいて、前記タイミング制御信号は、前記タイマ機能に少なくとも部分的に基づく、
を備える、装置。
【請求項１５】
ワイヤレス通信のためのコードを記憶する非一時的コンピュータ可読媒体であって、前記コードは、プロセッサによって実行可能な命令を備え、前記プロセッサによって実行されるとき、前記命令は請求項１〜１３のうちのいずれかの方法を実行させる、非一時的コンピュータ可読媒体。
【手続補正２】
【補正対象書類名】明細書
【補正対象項目名】０２３１
【補正方法】変更
【補正の内容】
【０２３１】
[0243]  本明細書での説明は、当業者が本開示を製造又は使用することを可能にするために提供される。本開示に対する様々な修正は、当業者にとって容易に明らかとなり、本明細書で定義された包括的な原理は、本開示の範囲から逸脱することなしに他の変形に適用され得る。このことから、本開示は、本明細書で説明された例及び設計に限定されず、本明細書で開示された原理及び新規の特徴と一致する最も広い範囲が付与されるべきである。
以下に本願の出願当初の特許請求の範囲に記載された発明を付記する。
［Ｃ１］
時間同期されたワイヤレスネットワークの、第１の時間を有する第１のクロックに関連付けられた第１のノードによって実行されるワイヤレス通信のための方法であって、
前記時間同期されたワイヤレスネットワークの第２のノードから、前記時間同期されたワイヤレスネットワークのフレーム構造への前記第２のノードの第２のクロックの第２の時間のためのマッピングを識別するマッピング情報と同期情報とを備えるタイミング同期信号を受信することと、
前記マッピング情報及び前記同期情報に少なくとも部分的に基づいて、前記第２のクロックの前記第２の時間に前記第１のクロックの前記第１の時間を同期させることと
を備える、方法。
［Ｃ２］
前記タイミング同期信号に少なくとも部分的に基づいて、前記第１のノードのローカルワイヤードインターフェースのタイマ機能を構成することと、ここにおいて、前記タイミング同期信号は、セルラワイヤレス通信リンクを通して受信される、
前記ローカルワイヤードインターフェースを介して前記第１のノードに接続されたデバイスにタイミング制御信号を送信することと、ここにおいて、前記タイミング制御信号は、前記タイマ機能に少なくとも部分的に基づく、
を更に備える、Ｃ１に記載の方法。
［Ｃ３］
前記セルラワイヤレス通信リンクの少なくとも１つのメトリックが閾値を満たすと決定することと、
前記決定に少なくとも部分的に基づいて、前記デバイスを制御するために、前記タイミング制御信号を送信することと
を更に備える、Ｃ２に記載の方法。
［Ｃ４］
前記セルラワイヤレス通信リンクの前記少なくとも１つのメトリックは、基準信号受信電力（ＲＳＲＰ）、信号対雑音比（ＳＮＲ）、信号対干渉及び雑音比（ＳＩＮＲ）、基準信号受信品質（ＲＳＲＱ）、帯域幅パラメータ、スループットパラメータ、又はそれらの組み合わせのうちの少なくとも１つを備える、Ｃ３に記載の方法。
［Ｃ５］
前記セルラワイヤレス通信リンクの少なくとも１つのメトリックが閾値を満たさないと決定することと、
前記決定に少なくとも部分的に基づいて、前記デバイスからの前記タイミング制御信号を保留することと、
を更に備える、Ｃ２に記載の方法。
［Ｃ６］
精密時間プロトコル（ＰＴＰ）機能、汎用ＰＴＰ機能、又はタイミング及び同期プロトコル機能として前記タイマ機能を構成すること
を更に備える、Ｃ２に記載の方法。
［Ｃ７］
前記デバイスは、前記ローカルワイヤードインターフェースに接続され、前記第１のノードによって制御されるエンドデバイスである、Ｃ２に記載の方法。
［Ｃ８］
プライマリ同期信号、セカンダリ同期信号、システム情報ブロック、測位基準信号、又はそれらの任意の組み合わせのうちの少なくとも１つを使用して、前記第２のノードから前記タイミング同期信号を受信すること
を更に備える、Ｃ１に記載の方法。
［Ｃ９］
前記同期情報は、基準時間に関連付けられたタイムスタンプ識別子と、前記基準時間に関連付けられた集約された遅延に関連する遅延識別子とを含む、Ｃ１に記載の方法。
［Ｃ１０］
前記同期情報は、前記第１のノードによって使用される時間同期プロトコルに関連するプロトコル識別子を含む、Ｃ１に記載の方法。
［Ｃ１１］
前記時間同期プロトコルは、精密時間プロトコル（ＰＴＰ）、汎用ＰＴＰ、又はタイミング及び同期プロトコルのうちの少なくとも１つを含む、Ｃ１０に記載の方法。
［Ｃ１２］
前記マッピング情報及び前記同期情報を受信することに少なくとも部分的に基づいて、前記第２のノードの前記第２のクロックの前記第２の時間に第３のノードの第３のクロックの第３の時間を同期させるために、前記第３のノードに前記マッピング情報及び前記同期情報を送信すること
を更に備える、Ｃ１に記載の方法。
［Ｃ１３］
前記マッピング情報及び前記同期情報は、前記時間同期されたワイヤレスネットワークのセルラリンクのダウンリンク又は前記時間同期されたワイヤレスネットワークの前記セルラリンクのアップリンク上で受信される、Ｃ１に記載の方法。
［Ｃ１４］
前記マッピング情報は、前記第１の時間についての時間値と、フレーム番号、ハイパーフレーム番号、システムフレーム番号、又はサブフレーム番号のうちの少なくとも１つのフレーム構造識別子とを識別する、Ｃ１に記載の方法。
［Ｃ１５］
前記マッピング情報及び前記同期情報は、前記時間同期されたワイヤレスネットワークのセルラインターフェースの制御チャネルを使用して受信される、Ｃ１に記載の方法。
［Ｃ１６］
前記制御チャネルは、前記セルラインターフェースの制御プレーン又はユーザプレーンを使用して受信される、Ｃ１５に記載の方法。
［Ｃ１７］
前記受信することは、識別情報を受信することを含み、
前記識別情報は、セルラリンク識別子、ノード識別子、セル識別子、無線ベアラ識別子、プロトコルデータユニットセッション識別子、又はプロトコルデータユニット接続識別子のうちの少なくとも１つを含む、Ｃ１に記載の方法。
［Ｃ１８］
前記マッピング情報及び前記同期情報は、前記第１のノードに関連付けられた複数の時間同期インスタンスのうちの第１の時間同期インスタンスに関連する、Ｃ１に記載の方法。
［Ｃ１９］
ワイヤレス通信のための装置であって、
第１のクロック及び第１の時間に関連付けられた第１のノードが、時間同期されたワイヤレスネットワークの第２のノードから、前記時間同期されたワイヤレスネットワークのフレーム構造への前記第２のノードの第２のクロックの第２の時間のためのマッピングを識別するマッピング情報と同期情報とを備えるタイミング同期信号を受信するための手段と、
前記マッピング情報及び前記同期情報に少なくとも部分的に基づいて、前記第２のクロックの前記第２の時間に前記第１のクロックの前記第１の時間を同期させるための手段と
備える、装置。
［Ｃ２０］
前記タイミング同期信号に少なくとも部分的に基づいて、前記第１のノードのローカルワイヤードインターフェースのタイマ機能を構成するための手段と、ここにおいて、前記タイミング同期信号は、セルラワイヤレス通信リンクを通して受信される、
前記ローカルワイヤードインターフェースを介して前記第１のノードに接続されたデバイスにタイミング制御信号を送信するための手段と、ここにおいて、前記タイミング制御信号は、前記タイマ機能に少なくとも部分的に基づく、
を更に備える、Ｃ１９に記載の装置。
［Ｃ２１］
前記セルラワイヤレス通信リンクの少なくとも１つのメトリックが閾値を満たすと決定するための手段と、
前記決定に少なくとも部分的に基づいて、前記デバイスを制御するために、前記タイミング制御信号を送信するための手段と
を更に備える、Ｃ２０に記載の装置。
［Ｃ２２］
前記セルラワイヤレス通信リンクの前記少なくとも１つのメトリックは、基準信号受信電力（ＲＳＲＰ）、信号対雑音比（ＳＮＲ）、信号対干渉及び雑音比（ＳＩＮＲ）、基準信号受信品質（ＲＳＲＱ）、帯域幅パラメータ、スループットパラメータ、又はそれらの組み合わせのうちの少なくとも１つを備える、Ｃ２１に記載の装置。
［Ｃ２３］
前記セルラワイヤレス通信リンクの少なくとも１つのメトリックが閾値を満たさないと決定するための手段と、
前記決定に少なくとも部分的に基づいて、前記デバイスからの前記タイミング制御信号を保留するための手段と、
を更に備える、Ｃ２０に記載の装置。
［Ｃ２４］
精密時間プロトコル（ＰＴＰ）機能、汎用ＰＴＰ機能、又はタイミング及び同期プロトコル機能として前記タイマ機能を構成するための手段
を更に備える、Ｃ２０に記載の装置。
［Ｃ２５］
前記デバイスは、前記ローカルワイヤードインターフェースに接続され、前記第１のノードによって制御されるエンドデバイスである、Ｃ２０に記載の装置。
［Ｃ２６］
プライマリ同期信号、セカンダリ同期信号、システム情報ブロック、測位基準信号、又はそれらの任意の組み合わせのうちの少なくとも１つを使用して、前記第２のノードから前記タイミング同期信号を受信するための手段
を更に備える、Ｃ１９に記載の装置。
［Ｃ２７］
前記同期情報は、基準時間に関連付けられたタイムスタンプ識別子と、前記基準時間に関連付けられた集約された遅延に関連する遅延識別子とを含む、Ｃ１９に記載の装置。
［Ｃ２８］
前記同期情報は、前記第１のノードによって使用される時間同期プロトコルに関連するプロトコル識別子を含む、Ｃ１９に記載の装置。
［Ｃ２９］
前記時間同期プロトコルは、精密時間プロトコル（ＰＴＰ）、汎用ＰＴＰ、又はタイミング及び同期プロトコルのうちの少なくとも１つを含む、Ｃ２８に記載の装置。
［Ｃ３０］
前記マッピング情報及び前記同期情報を受信することに少なくとも部分的に基づいて、前記第２のノードの前記第２のクロックの前記第２の時間に第３のノードの第３のクロックの第３の時間を同期させるために、前記第３のノードに前記マッピング情報及び前記同期情報を送信するための手段
を更に備える、Ｃ１９に記載の装置。
［Ｃ３１］
前記マッピング情報及び前記同期情報は、前記時間同期されたワイヤレスネットワークのセルラリンクのダウンリンク又は前記時間同期されたワイヤレスネットワークの前記セルラリンクのアップリンク上で受信される、Ｃ１９に記載の装置。
［Ｃ３２］前記マッピング情報は、前記第１の時間についての時間値と、フレーム番号、ハイパーフレーム番号、システムフレーム番号、又はサブフレーム番号のうちの少なくとも１つのフレーム構造識別子とを識別する、Ｃ１９に記載の装置。
［Ｃ３３］
前記マッピング情報及び前記同期情報は、前記時間同期されたワイヤレスネットワークのセルラインターフェースの制御チャネルを使用して受信される、Ｃ１９に記載の装置。
［Ｃ３４］
前記制御チャネルは、前記セルラインターフェースの制御プレーン又はユーザプレーンを使用して受信される、Ｃ３３に記載の装置。
［Ｃ３５］
前記受信するための手段は、識別情報を受信することを含み、
前記識別情報は、セルラリンク識別子、ノード識別子、セル識別子、無線ベアラ識別子、プロトコルデータユニットセッション識別子、又はプロトコルデータユニット接続識別子のうちの少なくとも１つを含む、
Ｃ１９に記載の装置。
［Ｃ３６］
前記マッピング情報及び前記同期情報は、前記第１のノードに関連付けられた複数の時間同期インスタンスのうちの第１の時間同期インスタンスに関連する、Ｃ１９に記載の装置。
［Ｃ３７］
ワイヤレス通信のための装置であって、
プロセッサと、
前記プロセッサと電子通信状態にあるメモリと、
前記メモリ中に記憶された命令とを備え、前記命令は、前記装置に、
第１のクロック及び第１の時間に関連付けられた第１のノードが、時間同期されたワイヤレスネットワークの第２のノードから、前記時間同期されたワイヤレスネットワークのフレーム構造への前記第２のノードの第２のクロックの第２の時間のためのマッピングを識別するマッピング情報と同期情報とを備えるタイミング同期信号を受信することと、
前記マッピング情報及び前記同期情報に少なくとも部分的に基づいて、前記第２のクロックの前記第２の時間に前記第１のクロックの前記第１の時間を同期させることと
を行わせるように前記プロセッサによって実行可能である、装置。
［Ｃ３８］
ワイヤレス通信のためのコードを記憶する非一時的コンピュータ可読媒体であって、前記コードは、
第１のクロック及び第１の時間に関連付けられた第１のノードが、時間同期されたワイヤレスネットワークの第２のノードから、前記時間同期されたワイヤレスネットワークのフレーム構造への前記第２のノードの第２のクロックの第２の時間のためのマッピングを識別するマッピング情報と同期情報とを備えるタイミング同期信号を受信することと、
前記マッピング情報及び前記同期情報に少なくとも部分的に基づいて、前記第２のクロックの前記第２の時間に前記第１のクロックの前記第１の時間を同期させることと
を行うようにプロセッサによって実行可能な命令を備える、非一時的コンピュータ可読媒体。